(57)【特許請求の範囲】
【請求項１】
可撓性基板上に設けられた表示部を有し、
前記表示部は、第１表示部と、前記第１表示部から連続する第２表示部とを含み、
少なくとも前記第２表示部は湾曲面を有し、
前記第１表示部の中央部に対して垂直な方向から前記第１表示部を見たとき、前記第２表示部に表示された画像が直視されない位置に、前記第２表示部が位置し、
前記第１表示部の画素のうち、前記第２表示部に隣接する画素のサイズが、他の第１表示部の画素のサイズよりも大きく、
前記第２表示部の画素のうち、前記第１表示部に隣接する画素のサイズが、他の第２表示部の画素のサイズよりも小さい、
ことを特徴とする表示装置。
【請求項２】
前記第１表示部は平面であり、前記平面に対して垂直な方向から前記第１表示部を見たとき、前記第２表示部に表示された画像が視認できないように、前記第２表示部が位置する、請求項１に記載の表示装置。
【請求項３】
前記第１表示部は湾曲面を有する、請求項１に記載の表示装置。
【請求項４】
前記第１表示部の湾曲面より、前記第２表示部の湾曲面の方が、曲率が大きい、請求項３に記載の表示装置。
【請求項５】
前記第１表示部と前記第２表示部との境界領域の曲率が最も大きい、請求項４に記載の表示装置。
【請求項６】
前記第１表示部と前記第２表示部とは、画素ピッチが異なる、請求項１に記載の表示装置。
【請求項７】
前記第１表示部の方が、画素ピッチが小さい、請求項６に記載の表示装置。
【請求項８】
前記第１表示部は第１発光領域を含み、前記第２表示部は第２発光領域を含む、請求項１に記載の表示装置。
【請求項９】
前記第１発光領域と前記第２発光領域との境界に非発光領域を含まない、請求項８に記載の表示装置。
【請求項１０】
可撓性基板上に設けられた表示部を有し、前記表示部が、第１表示部と、前記第１表示部から連続して設けられ湾曲面を有する第２表示部とを含む表示装置と、
前記第２表示部に対向し前記第２表示部が表示する画像が投射される投影面と、を有し、
前記第１表示部の画素のうち、前記第２表示部に隣接する画素のサイズが、他の第１表示部の画素のサイズよりも大きく、
前記第２表示部の画素のうち、前記第１表示部に隣接する画素のサイズが、他の第２表示部の画素のサイズよりも小さい、
ことを特徴とする表示システム。
【請求項１１】
前記第１表示部は直視画像を表示する、請求項１０に記載の表示システム。
【請求項１２】
前記投影面は、スクリーン、反射板又はガラス板である、請求項１０に記載の表示システム。
【請求項１３】
前記第１表示部は湾曲面を有する、請求項１０に記載の表示システム。
【請求項１４】
前記第１表示部の湾曲面より、前記第２表示部の湾曲面の方が、曲率が大きい、請求項１３に記載の表示システム。
【請求項１５】
前記第１表示部と前記第２表示部とは、画素ピッチが異なる、請求項１０に記載の表示システム。
【請求項１６】
前記第１表示部の方が、画素ピッチが小さい、請求項１５に記載の表示システム。
【請求項１７】
前記第１表示部は第１発光領域を含み、前記第２表示部は第２発光領域を含む、請求項１０に記載の表示システム。
【請求項１８】
前記第１発光領域と前記第２発光領域との境界に非発光領域を含まない、請求項１７に記載の表示システム。
【発明の詳細な説明】
【技術分野】
【０００１】
本発明は、表示装置及び表示システムにおける画像を表示する表示部の構成に関する。
【背景技術】
【０００２】
可撓性を有する基板に表示部を形成したフレキシブルディスプレイが開発されている。フレキシブルディスプレイは表示部を湾曲させた状態でも画像を表示することが可能である。フレキシブルディスプレイの柔軟性を利用した一例として、特許文献１には、車両のインストルメントパネルにフレキシブルディスプレイを装着した車載表示システムが開示されている。
【先行技術文献】
【特許文献】
【０００３】
【特許文献１】特開２０１１−１８３９１６号公報
【発明の概要】
【発明が解決しようとする課題】
【０００４】
しかしながら、従来のフレキシブルディスプレイは、基体を折り曲げたり湾曲させたりできるという特徴を有していながら、映像を表示させることに関しては十分にその特徴を活用しているとはいえない状況にある。
【０００５】
このような状況に鑑み、本発明の一実施形態は、可撓性を有する表示装置の新たな構成を提供することを目的の一つとする。
【課題を解決するための手段】
【０００６】
本発明の一実施形態によれば、可撓性基板上に設けられた表示部を有し、表示部は、第１表示部と、第１表示部から連続する第２表示部とを含み、少なくとも第２表示部は湾曲面を有する表示装置が提供される。
【０００７】
本発明の一実施形態によれば、可撓性基板上に設けられた表示部を有し、表示部が、第１表示部と、第１表示部から連続して設けられ湾曲面を有する第２表示部とを含む表示装置と、第２表示部に対向し第２表示部が表示する画像が投射される投影面と、を有する表示システムが提供される。
【図面の簡単な説明】
【０００８】
【図１】本発明の一実施形態に係る表示装置の構成を示す斜視図である。
【図２】本発明の一実施形態に係る表示装置を示し、（Ａ）は平面図、（Ｂ）は断面図、（Ｃ）は正面図である。
【図３】本発明の一実施形態に係る表示装置の構成を説明する断面図である。
【図４】本発明の一実施形態に係る表示装置の構成を示す斜視図である。
【図５】本発明の一実施形態に係る表示装置の構造を示す断面図である。
【図６】本発明の一実施形態に係る表示装置の表示部の構成を示す図である。
【図７】本発明の一実施形態に係る表示装置の表示部の構成を示す図である。
【図８】本発明の一実施形態に係る表示装置の画素の一例を示す断面図である。
【図９】本発明の一実施形態に係る表示システムの構成を示す斜視図である。
【図１０】本発明の一実施形態に係る表示システムの構成を示す斜視図である。
【図１１】本発明の一実施形態に係る表示システムの構成を示す斜視図である。
【図１２】本発明の一実施形態に係る表示システムの構成を示す斜視図である。
【発明を実施するための形態】
【０００９】
以下、本発明の実施の形態を、図面等を参照しながら説明する。但し、本発明は多くの異なる態様で実施することが可能であり、以下に例示する実施の形態の記載内容に限定して解釈されるものではない。図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
本明細書において、ある部材又は領域が他の部材又は領域の「上に（又は下に）」あるとする場合、特段の限定がない限りこれは他の部材又は領域の直上（又は直下）にある場合のみでなく他の部材又は領域の上方（又は下方）にある場合を含み、すなわち、他の部材又は領域の上方（又は下方）において間に別の構成要素が含まれている場合も含む。
【００１１】
［第１の実施形態］
＜表示装置の構成１＞
本発明の一実施形態に係る表示装置は、可撓性を有し、表示部の一部が屈曲する構造を有する。図１は、本発明の一実施形態に係る表示装置１０２の斜視図を示す。図２（Ａ）は、この表示装置１０２の平面図を示す。図２（Ｂ）は、同図（Ａ）において示すＡ−Ｂ線に沿った断面図を示す。また、図２（Ｃ）は、同図（Ｂ）において示す第Ｉの側から見た正面図を示す。以下の説明では、これらの図面を適宜参照するものとする。
【００１２】
なお、本明細書では便宜上、図１で示すように、表示装置１０２を視認する一方の側を第Ｉの側とし、これと対向する側（反対側）を第ＩＩの側とする。
【００１３】
表示装置１０２は表示部１０８を有する。表示部１０８は、少なくとも第１表示部１１０と第２表示部１１２とを含む。表示部１０８は、少なくとも一部の領域が第１表示部１１０を形成し、他の領域が第２表示部１１２を形成する。なお、第１表示部１１０と第２表示部１１２とは、明確に表示領域が区画されていなくてもよく、第１表示部１１０と第２表示部１１２とが連続して設けられる。表示部１０８において、第１表示部１１０と第２表示部１１２とは、一部の領域がオーバーラップしていてもよい。すなわち、表示部１０８において、第１表示部１１０と第２表示部１１２との境界は明確に画定されていなくてもよく、第１表示部１１０と第２表示部１１２との間に境界領域が存在していてもよい。例えば、第１表示部１１０と第２表示部１１２との間には、第１表示部１１０及び第２表示部１１２のそれぞれに表示される画像が混在する境界領域が存在してもよい。表示部１０８に、このような第１表示部１１０及び第２表示部１１２が含まれることで、表示装置１０２は、画像を表示するときに新たな視角効果を発現させることができる。
【００１４】
表示装置１０２は、表示部１０８が外側に凸面を有するように屈曲されている。屈曲部１１４は、第１表示部１１０と第２表示部１１２の境界領域を含む領域に存在する。表示装置１０２は、屈曲部１１４を含むことで、基体に設置したとき、第Ｉの側から第１表示部１１０を視認することが可能となる。この場合、第２表示部１１２は、第１表示部１１０の背面側に配置される。図２（Ｂ）に示すように、第１表示部１１０は表示部１０８の平坦な面に設けられ、第２表示部１１２は湾曲面に設けられる。表示装置１０２は、第１表示部１１０と第２表示部１１２との境界領域から第２表示部１１２にかけて曲面を有している。この場合、第２表示部１１２の湾曲面の曲率に比べ、境界領域における屈曲部１１４の曲率が最も大きくなっている。これにより、第Ｉの側から表示装置１０２を視認するとき、第１表示部１１０の背面に第２表示部１１２が配置されるようにすることができる。さらに、観察者に対しては、第１表示部１１０と第２表示部１１２を含む表示部１０８に一体感を与えつつ、双方の表示部で違和感なく異なる画像を表示することができる。
【００１５】
観察者は、第Ｉの側から表示装置１０２を正視すると、第１表示部１１０に表示される画像を直視することができる。この場合、第２表示部１１２は、第１表示部１１０の背面側に位置することになるため、観察者からは必ずしも直視されない。しかしながら、第２表示部１１２で表示される画像は、表示装置１０２の背面に投射面が設けられる場合、観察者はその投射面の画像を視認することが可能となる。また、第２表示部１１２に表示される画像は、表示装置１０２の上面又は第ＩＩの側から視認することも可能である。
【００１６】
なお、第１表示部１１０は、レンチキュラーレンズ等の光学素子を設け、三次元画像を視認可能なように構成されていてもよい。また、表示部１０８にタッチセンサーを設けて、タッチパネルとして機能するように構成されてもよい。例えば、第１表示部１１０にタッチパネルとしての機能を付加することで、表示装置１０２を入力デバイスとして用いることができる。
【００１７】
表示装置１０２は、一例として、表示部１０８の平坦な領域に第１表示部１１０が形成される。第１表示部１１０が平坦な画面に形成されることで、直視画像の視認性を高めることができる。一方、表示装置１０２は、表示部１０８の湾曲面を含む領域に第２表示部１１２が形成される。第２表示部１１２が湾曲した画面に形成されることで、第ＩＩの側から第２表示部１１２を視認するときに、第１表示部１１０が表示する画像とは異なる視覚効果を与えることができる。また、第２表示部１１２が投影面に画像を投影する場合、拡大投影が可能となる。このように、表示装置１０２は、屈曲部１１４を挟んで表示部１０８の一方を平坦な領域とし、他方を湾曲面とすることで、直視画像の視認性を高めると共に、新たな映像効果を作り出すことができる。
【００１８】
図１では、表示装置１０２における第１表示部１１０側の一辺と、第２表示部１１２側の一辺が下地面に接して平置される態様を示すが、本発明はこれに限定されず、前述の各一辺と交差する一辺（第１表示部１１０と第２表示部１１２に共通する側の一辺）を下地面に接して配置してもよい。別言すれば、図１に示す表示装置１０２が横置きされる態様を示す場合、これを縦置きにしてもよい。表示装置１０２を、所謂縦置の場合でも、第１表示部１１０が第Ｉの側から正視されるように設置すれば、横置きの場合と同様の作用効果を奏する。
【００１９】
本実施形態によれば、可撓性を有する表示装置１０２の表示部１０８に、屈曲部１１４を挟んで第１表示部１１０と第２表示部１１２を設けることで、一方の表示部を直視し、他方の表示部を直視されない構成とすることができる。これにより、少なくとも２つの異なる方向に画像を表示することができる。また、第２表示部１１２の背面に投影面が存在すると、第２表示部１１２で表示される画像を当該投影面に投射することも可能となる。このように本発明の一実施形態によれば、屈曲部を含む表示部に複数の表示部を形成することで、新たな視角効果を発現する表示装置を提供することができる。
【００２０】
＜表示装置の構成２＞
図３（Ａ）及び図３（Ｂ）で示すように、他の形態として、表示装置１０２は、表示部１０８の湾曲面を含む領域に第１表示部１１０が形成されていてもよい。すなわち、第１表示部１１０及び第２表示部１１２の双方が湾曲面を有していてもよい。第１表示部１１０が湾曲面を有することで、少なくとも湾曲方向の視野角を広げることができる。
【００２１】
図３（Ａ）に示すように、第１表示部１１０の湾曲面よりも、第２表示部１１２の湾曲面の方が、曲率が大きく設定されていてもよい。別言すれば、第１表示部１１０の曲率半径ｒ１が、第２表示部１１２の曲率半径ｒ２よりも大きくてもよい。このような構成を有することで、第１表示部１１０では、広視野角を実現しつつも直視画像の視認性を低下させず、第２表示部１１２では広角に画像を投射することが可能となる。
【００２２】
図３（Ｂ）で示すように、第１表示部１１０及び第２表示部１１２が同じ曲率半径（ｒ１＝ｒ２）を有していてもよい。これにより、視野角を広げて視認性を向上させつつ、表示装置１０２の設置面積を縮小することができる。
【００２３】
図４で示すように、表示装置１０２は、第２表示部１１２、または第１表示部１１０及び第２表示部１１２が、高さ方向（図４で示す［ａ１］、［ａ２］の方向）に湾曲していることのみならず、幅方向（図４で示す［ｂ］の方向）に対しても湾曲していてもよい。少なくとも第２表示部１１２が幅方向にも湾曲していることで、第２表示部が画像を投射するとき、投影面を拡張することができる。
【００２４】
なお、本実施形態において、第１表示部１１０及び第２表示部１１２の湾曲面は、図３（Ａ）及び図３（Ｂ）で示されるように一定の曲率半径を有する湾曲面に限定されず、連続的に曲率半径が変化する湾曲面を有していてもよい。いずれにしても、第１表示部と第２表示部とが湾曲面を有することで、新たな視角効果を発現する表示装置を提供することができる。
【００２５】
＜基板構造＞
図５（Ａ）及び図５（Ｂ）は、本発明に係る表示装置１０２の基板構造を示す断面図である。図５（Ａ）は、有機エレクトロルミネセンス表示装置１０２ａである場合を示す。第１基板１１６に表示素子部１１８ａが設けられ、この表示素子部１１８を覆うように封止材１２０が設けられている。第１基板１１６は可撓性を有する基板である。可撓性を有する基板としては、有機樹脂フィルム基板、薄板ガラス基板、薄板ガラス基板に有機樹脂膜又は有機樹脂フィルムが付加された複合基板などが適用される。表示素子部１１８ａは、各画素に有機エレクトロルミネセンス素子が設けられている。封止材１２０は、第１基板に用いられる可撓性基板と同種の基板、または、無機絶縁層と有機樹脂層とが積層された封止層で形成される。有機エレクトロルミネセンス表示装置１０２ａは、表示素子部１１８ａが第１表示部１１０及び第２表示部１１２を含む表示部１０８を形成し、有機エレクトロルミネセンス素子が発光することで画像を表示する。
【００２６】
図５（Ｂ）は、液晶表示装置１０２ｂである場合を示す。液晶表示装置１０２ｂは、第１基板１１６及び第２基板１２２の間に、液晶素子を含む表示素子部１１８ｂが設けられている。また、光源部（バックライト）１２４が、第１基板１１６側に設けられている。第１基板１１６及び第２基板１２２は、上述の可撓性基板が用いられる。表示素子部１１８ｂに設けられる液晶素子は、一対の電極間に液晶層が設けられた液晶素子を含み、液晶の電気光学効果により、光源部１２４から出射される光の透過を制御して画像を表示する。
【００２７】
いずれにしても、可撓性を有する基板を用いて表示素子部を設けることで、本実施形態で示す、第１表示部及び第２表示部を含む表示部を有する表示装置を提供することができる。
【００２８】
＜画素の構成＞
図６は、本発明に係る表示装置１０２の表示部１０８の構成を示す。表示部１０８は、第１表示部１１０及び第２表示部１１２を含む。第１表示部１１０と第２表示部１１２とは連続して設けられている。図６で示す表示部１０８において、第１表示部１１０は第１画素１２６ａが複数配列されている。第２表示部１１２は第２画素１２６ｂが複数配列されている。第１表示部１１０における第１画素１２６ａの画素ピッチと、第２表示部１１２における第２画素１２６ｂの画素ピッチは異なっている。すなわち、第１表示部１１０の画素密度の方が、第２表示部１１２の画素密度よりも高くなっている。別言すれば、第１表示部１１０と第２表示部１１２との解像度は異なっている。具体的には、第２表示部１１２の画素ピッチに比べて第１表示部１１０の画素ピッチが小さくなっている。例えば、第１表示部１１０の画素ピッチが５００ｐｐｉ（pixel per inch）以上である場合、第２表示部１１２の画素ピッチは５００ｐｐｉ未満であればよい。尚、第１表示部１１０の画素サイズが、第２表示部１１２の画素サイズよりも小さく形成された構成でもよい。
【００２９】
第１表示部１１０の画素ピッチを小さくすることで、解像度を高めることができる。直視画像を表示する第１表示部１１０において、高解像度の画像表示をすることができる。一方、第２表示部１１２の画素ピッチを第１表示部１１０よりも大きくすることで、画素の開口率が向上し、一画素当たりの輝度を高めることができる。それにより、第２表示部１１２が画像を投射するとき、投射面に表示される画像のコントラストを高めることができる。
【００３０】
なお、図６で示す表示装置１０２は、第１表示部１１０及び第２表示部１１２を駆動する駆動回路が設けられている。駆動回路は、走査線駆動回路１２８とデータ線駆動回路１３０（図６では１３０ａ、１３０ａと示す）との一方又は双方が含まれる。走査線駆動回路１２８は、第１表示部１１０と第２表示部１１２に対して走査信号を出力する。走査線駆動回路１２８は、第１表示部１１０と第２表示部１１２とに対応して、個別に設けられていてもよい。
【００３１】
データ線駆動回路１３０は、第１表示部１１０と第２表示部１１２に対して画像を表示するデータ信号を出力する。第１表示部１１０と第２表示部１１２とで画素ピッチが異なる場合、各表示部に対応して第１データ線駆動回路１３０ａと第２データ線駆動回路１３０ｂが設けられていてもよい。データ線駆動回路１３０を第１表示部１１０と第２表示部１１２とに対応させて設けることで、双方の表示部で異なる画像を表示することができる。すなわち、第１表示部１１０と第２表示部１１２に対する駆動回路を分けて設けることで、異なる画像を同時に表示することができる。また、第１表示部１１０及び第２表示部１１２の一方に静止画を表示させ、他方に動画を表示させることができる。
【００３２】
なお、第１表示部１１０及び第２表示部１１２における画素の配列は任意であり、マトリクス状に正方配列する場合の他、デルタ配列、ペンタイル配列等の配列を適用することができる。
【００３３】
図７は、表示部１０８の他の構成を示す。第１表示部１１０と第２表示部１１２の境界領域において、画素ピッチが徐々に変化する境界領域を有する。すなわち、表示部１０８は、画素ピッチが小さい第１表示部１１０から、画素ピッチが第１表示部１１０よりも大きい第２表示部１１２に向けて画素ピッチが大きくなる境界領域を有している。別言すれば、第１表示部１１０のうち、第２表示部１１２に隣接する領域の画素ピッチが他の第１表示部１１０の画素ピッチよりも大きく形成され、第２表示部１１２のうち、第１表示部１１０に隣接する領域の画素ピッチが他の第２表示部１１２の画素ピッチよりも小さく形成されている。あるいは、第１表示部１１０の画素のうち、第２表示部１１２に隣接する画素のサイズが他の第１表示部１１０の画素のサイズよりも大きく、第２表示部１１２の画素のうち、第１表示部１１０に隣接する画素のサイズが他の第２表示部１１２の画素のサイズよりも小さく形成されているともいえる。この境界領域においては、画素ピッチが段階的に大きくなるように、一行又は複数行毎に画素ピッチが変化していてもよい。このように、画素ピッチが異なる境界領域を設けることで、第１表示部１１０と第２表示部１１２との境界を明確に視認することができないようにして、視覚的な効果として、表示部１０８の一体感を観察者に与えることができる。
【００３４】
図６及び図７で示す表示部１０８において、第１表示部１１０と第２表示部１１２との境界領域では、第１表示部１１０で表示される画像及び第２表示部１１２で表示される画像のいずれにも属さない表示がなされるようにしてもよい。例えば、表示部１０８の境界領域は、明確な画像と認識されない表示であって、明度、彩度、色彩、色調が連続的に、時間と共に変化する表示が行われる。それにより、観察者に、第１表示部１１０と第２表示部１１２の境界を明確に識別させつつも、第１表示部１１０の表示を明確に視認させることができる。
【００３５】
図６及び図７で示す表示部１０８において、第１表示部１１０は第１発光領域を有し、第２表示部１１２は第２発光領域を有していてもよい。第１発光領域は、第１表示部１１０を構成する第１画素１２６ａのそれぞれに、表示素子として発光素子を用いることで形成可能である。これは第２発光領域についても同様である。発光素子としては、例えば、一対の電極間に有機エレクトロルミネセンス材料を含む有機層を介在させた有機エレクトロルミネセンス素子を適用することができる。この場合、図６及び図７で示すように、第１表示部１１０と第２表示部１１２との境界領域にも同様の画素を設けることで、非発光領域を含まないようにすることができる。それにより、観察者に対し、表示部１０８の一体感を与え、洗練された印象を与えることができる。
【００３６】
図８は、発光素子が設けられた画素（第１画素１２６ａ及び第２画素１２６ｂ）の一例を示す。図８は、画素１２６の断面構造の一例を示す。画素１２６は、発光素子１３２と、発光素子１３２を駆動する駆動トランジスタ１３４を含む。
【００３７】
駆動トランジスタ１３４は、第１基板１１６に設けられる。駆動トランジスタ１３４は、半導体層１３６、ゲート絶縁層１３８、ゲート電極１４０を含んで構成される。駆動トランジスタ１３４の半導体層１３６は、非晶質又は多結晶のシリコン半導体、金属酸化物の半導体特性を利用した酸化物半導体が用いられる。駆動トランジスタ１３４は、半導体層１３６がゲート電極１４０と重なる領域にチャネルが形成され、チャネルを挟むようにソース領域及びドレイン領域が設けられる。
【００３８】
ソース電極１４２及びドレイン電極１４４は第１層間絶縁層１４６を挟んで設けられる。ソース電極１４２及びドレイン電極１４４は、第１層間絶縁層１４６及びゲート絶縁層１３８を貫通するコンタクトホールによって半導体層１３６のソース領域及びドレイン領域にそれぞれ接続される。ソース電極１４２及びドレイン電極１４４の上層には第２層間絶縁層１４８が設けられる。
【００３９】
発光素子１３２は画素電極１５０、有機層１５２、対向電極１５４を含む。一対の電極のうち、画素電極１５０はアノードであり対向電極１５４はカソードであるものとする。画素電極１５０を囲むようにバンク層１５８が設けられる。有機層１５２は、画素電極１５０からバンク層１５８にかけて設けられる。有機層１５２は、低分子系又は高分子系の有機エレクトロルミネセンス材料等の発光材料が含まれる。発光材料として低分子系の有機材料を用いる場合、有機層１５２は発光性の有機材料を含む発光層に加え、当該発光層を挟むように正孔注入層や電子注入層、さらに正孔輸送層や電子輸送層等含んで構成されていてもよい。
【００４０】
なお、画素１２６は、発光素子１３２が発光した光を対向電極１５４側に出射する、いわゆるトップエミッション型の構造を有している。この場合、画素電極１５０は、有機層１５２で発光した光を対向電極側に反射させるため、反射率の高い金属膜、またはそのような金属膜を含む積層膜で形成されていることが好ましい。一方、対向電極１５４は、透明導電膜で形成されていることが好ましい。
【００４１】
発光素子１３２の上層にはパッシベーション層１５６が設けられる。パッシベーション層１５６に限定はないが、無機絶縁材料で形成される絶縁層と、有機樹脂材料で形成される絶縁層とが積層されていてもよい。パッシベーション層１５６は発光素子１３２を覆い、水分等の浸入を防ぐために設けられる。図８に示すようなトップエミッション型の構造の場合、パッシベーション層１５６としては、窒化シリコンや酸化アルミニウムなどの被膜により透光性を有するものとすることが好ましい。また、パッシベーション層１５６の上部には第２基板が設けられ、その間に充填材が設けられていてもよい。
【００４２】
このように、第１表示部１１０を構成する第１画素１２６ａ、および第２表示部１１２を構成する第２画素１２６ｂを、発光素子を含む構成とすることで、第１表示部１１０においては第１発光領域を形成し、第２表示部１１２においては第２発光領域を形成することができる。これにより表示装置１０２の薄型化が可能となり、表示部に湾曲面を設けることが容易となる。さらに、第１表示部１１０、第２表示部１１２に湾曲面を設けても、視野角依存性を低減させ、高視野角の表示部を形成することができる。
【００４３】
なお、本実施形態では、表示部１０８に２つの表示部が設けられる態様を例示するが、本発明はこれに限定されず、表示部がさらに分割されていてもよい。例えば、第１表示部１１０の一部が区分され、第３表示部が設けられていてもよい。第２表示部１１２についても同様であり、例えば、第２表示部１１２として静止画を表示する領域の中に、動画を表示する第３の表示部が含まれてもよい。このように、表示部１０８を機能的に分割することで、新たな視覚効果を発現する表示をすることができる。
【００４４】
本発明の一実施形態に係る表示装置は、第１表示部と第２表示部とで画素ピッチを異ならせることで、表示部で直視される画像と、直視されない画像（例えば、投影画像）とで、画像の解像度を異ならせることができる。これにより、高精細な画像と、当該画像を囲む投影画像を組み合わせた、新たな視角効果を発現する画像を表示させることが可能となる。また、本発明の一実施形態に係る表示装置は、第１表示部１１０と第２表示部１１２との境界に物理的な遮蔽物が設けられていないので、観察者には表示部の一体感を与えつつ、少なくとも２つの表示部で異なる表示を行うことができる。
【００４５】
［第２の実施形態］
本実施形態は、第１の実施形態で示す表示装置を用いた表示システムの一例を示す。本発明の一実施形態に係る表示シシテムは、表示装置と投影面を備えている。
【００４６】
図９は、本発明の一実施形態に係る表示システム１００の一例を示す。表示システム１００は、表示装置１０２と、表示装置１０２の第２表示部１１２側に対向した投影面１０４とを含む。投影面１０４は第２表示部１１２が表示する画像が投影される。表示装置１０２は、表示部１０８上方に凸表面を有するように湾曲している。表示部１０８の凸部は、第１表示部１１０と第２表示部１１２との境界領域に相当し、手前側（第Ｉの側）に第１表示部１１０が配置され、裏側（第ＩＩの側）に第２表示部１１２が配置される。第２表示部１１２のみが有する湾曲面、又は、第１表示部１１０及び第２表示部１１２が有する湾曲面は、少なくとも高さ方向に湾曲している。
【００４７】
図１０は、本発明の一実施形態に係る表示システム１００の、他の一例を示す。表示装置１０２は、第１表示部１１０が手前側（第Ｉの側）に配置されている。表示部１０８は、第１表示部１１０と第２表示部１１２との境界領域において後方（第ＩＩの側）に屈曲するように曲げられ、第２表示部１１２が、第１表示部１１０の背面に配置されている。第２表示部１１２の背面側には投影面１０４が設けられている。第２表示部１１２は、凸表面を有するように左右方向に湾曲している。
【００４８】
本実施形態に係る表示システム１００は、表示装置１０２と共に設置される投影面１０４が一体となり画像を表示する。表示装置１０２は、少なくとも第１表示部１１０が視認されるように筐体１０６に設置される。筐体１０６には、表示装置１０２に映像信号を供給し画像を表示させる駆動システムが設けられていてもよい。
【００４９】
投影面１０４は、表示装置１０２から離れて配置され、平板状又は第２表示部１１２を覆うような湾曲した形状を有している。投影面１０４は、第２表示部１１２が投射する画像が写し出される面であり、白地、鏡面又は半透過の反射面を有している。投影面１０４は、スクリーン、反射板又はガラス板で形成される。スクリーンは、一層又は複数の層で形成されたシート状の部材で形成される。スクリーンとして、例えば、受光面側から、白地の樹脂層（例えば、ＥＶＡ（Ethylene Vinyl Acetate Copolymer）樹脂）、ガラス繊維層、黒地の樹脂層が積層されたシート又は板状部材で形成される。反射板は、ガラス板の裏面に銀又はアルミニウムの金属膜が形成された鏡体、鏡面仕上げされた金属板等で形成される。また、ガラス板は、表面が梨地状の表面形態、金属の半透過膜が形成された半透過状の形態を有する部材等が適用される。このような材質、形状、配置によって、投影面１０４は第２表示部１１２から投射される画像を映し出すことができる。
【００５０】
表示装置１０２の第１表示部１１０と第２表示部１１２とが同時に駆動されることにより、表示システム１００は直視画像と投影画像を同時に表示することが可能となる。例えば、第１表示部１１０は、直視される主たる画像を表示し、第２表示部１１２が背景となる画像を投影面１０４に拡大投影する。この場合、第２表示部１１２と投影面１０４との間にレンズが設けられていてもよい。レンズを設けることによって、第２表示部１１２が表示する画像を投影面１０４により拡大して投影することができる。このように第１表示部１１０が直視画面を形成し、第２表示部１１２が投影画像を表示することで、直視画像と投影画像を組み合わせて一体感のある画像を表示することができる。また、表示システム１００は、直視画像を表示する第１表示部１１０が観察者に対して手前側に配置され、第２表示部１１２から画像が表示される投影面１０４が奥側に配置されることにより、奥行き感のある画像を表示することができる。
【００５１】
表示装置１０２において、第１表示部１１０は湾曲面を有していてもよい。第１表示部１１０が湾曲面を有することにより、直視画面の視野角を広げることができる。表示装置１０２は、第１表示部１１０と第２表示部１１２との双方が湾曲面を有していてもよい。この場合、第１表示部１１０の湾曲面よりも、第２表示部１１２の湾曲面の方が、曲率が大きく設定されていてもよい。このような構成を有することで、第１表示部１１０では、広視野角を実現しつつも直視画像の視認性を低下させず、第２表示部１１２では投影面１０４に広角に画像を投射することが可能となる。第１表示部１１０が高さ方向に湾曲した表示面を有し、投影面１０４が左右方向に凹面状に湾曲した表示面を形成することで、立体感のある画像を表示することが可能となる。
【００５２】
表示システム１００に設置される表示装置１０２は、第１表示部１１０と第２表示部１１２とで画素ピッチが異なっていてもよい。すなわち、第１表示部１１０の方が、第２表示部１１２に比べて画素ピッチが小さくなっている。第１表示部１１０の画素ピッチを小さくすることで、高解像度の画像を表示することができる。一方、第２表示部１１２の画素ピッチを第１表示部１１０よりも大きくすることで、画素の開口率が向上し、一画素当たりの輝度を高めることができ、投影面１０４に表示する画像のコントラストを高めることができる。
【００５３】
なお、表示装置１０２は第１の実施形態で説明したように、第１表示部１１０と第２表示部１１２とが連続して設けられている。また、第１表示部１１０は第１発光領域を含み、第２表示部１１２は第２発光領域を含んでいてもよい。そして、第１発光領域と第２発光領域との境界領域に、非発光領域を含まないようにすることで、観察者に対し表示部１０８の一体感を与え、洗練された印象を与えたり、意匠性を高めたりすることができる。
【００５４】
なお、図９で示す表示システム１００は、表示装置１０２の表示部１０８が高さ方向に湾曲し、図１０で示す表示システム１００は、表示装置１０２の表示部１０８が左右方向に湾曲する態様を示すが、本発明はこれに限定されず、表示部１０８が球面状に湾曲していてもよい。このことは、投影面１０４についても同様であり、図９及び図１０で示す表示システムは、投影面１０４が一方向に湾曲する態様を示すが、本発明はこれに限定されず、球面体のように３次元に湾曲する湾曲面を有していてもよい。
【００５５】
このような表示システム１００は、音響システムによりステレオ感のある音響効果が付加されてもよい。映像のみならず音響効果を加えることで、映像効果の高いオーディオビジュアルシステムを実現することができる。
【００５６】
図１１は、表示システム１００の一形態を示す。この表示システム１００は、筐体１０６に表示装置１０２が配置され、表示装置１０２を囲むように第２表示部１１２側に投影面１０４が設けられている。表示装置１０２は、第１表示部１１０が手前側にくるように配置され、第２表示部１１２は裏側を向いて配置されている。表示装置１０２は、第１表示部１１０が直視画像を表示し、第２表示部１１２が投影面１０４に画像を投影することにより、前述のように映像効果の高い表示をすることができる。また、スピーカー１６０を配置することにより、画像表示に合わせて音響を付加することができる。
【００５７】
図１２は、表示装置１０２を車両に設ける一態様を示す。表示装置１０２は運転席に設けられるインストルメンタルパネル１６２に設置されている。車両は、表示装置１０２は、表示部１０８に第１表示部１１０と第２表示部１１２を含む。第１表示部１１０は運転席の手前側に向けて設置され、第２表示部１１２はインストルメンタルパネル１６２前方のフロントウィンドウ１６４に向けて設置される。
【００５８】
表示装置１０２は、第１表示部１１０が直視画像を表示し、第２表示部１１２はフロントウィンドウ１６４に向けて画像を投影する。すなわち、フロントウィンドウ１６４の一部を投影面１０４として用いることで、車両に表示システム１００が構築される。第１表示部１１０は、前述のようにタッチパネルとしての機能を有していてもよい。
【００５９】
図１２で示す表示システム１００においては、第１表示部１１０が、行き先の詳細情報や周辺施設の情報などを文字、写真で表示し、第２表示部１１２で広範囲の地図情報などを表示させることで、利用者に、ナビゲーションシステムを提供することができる。
【００６０】
このように、本実施形態によれば、屈曲部を挟んで第１表示部と第２表示部を含む表示装置と、投影面を組み合わせることで、従来にない新たな視覚効果を発現する表示システムを提供することができる。
【産業上の利用可能性】
【００６１】
本発明の一実施形態に係る表示システム１００は、利用者に各種情報を提供するインフォメーションシステム、車両などに搭載してナビゲーションシステム、ゲームマシーンなどのアミューズメントシステム、画像を閲覧しながら行う学習システム、映画などを鑑賞するオーディオビジュアルシステムなど、様々な分野に適用することが可能である。
【符号の説明】
【００６２】
１００・・・表示システム、１０２・・・表示装置、１０４・・・投影面、１０６・・・筐体、１０８・・・表示部、１１０・・・第１表示部、１１２・・・第２表示部、１１４・・・屈曲部、１１６・・・第１基板、１１８・・・表示素子部、１２０・・・封止材、１２２・・・第２基板、１２４・・・光源部、１２６・・・画素、１２８・・・走査線駆動回路、１３０・・・データ線駆動回路、１３２・・・発光素子、１３４・・・駆動トランジスタ、１３６・・・半導体層、１３８・・・ゲート絶縁層、１４０・・・ゲート電極、１４２・・・ソース電極、１４４・・・ドレイン電極、１４６・・・第１層間絶縁層、１４８・・・第２層間絶縁層、１５０・・・画素電極、１５２・・・有機層、１５４・・・対向電極、１５６・・・パッシベーション層、１５８・・・バンク層、１６０・・・スピーカー、１６２・・・インストルメンタルパネル、１６４・・・フロントウィンドウ
【図１】
0006446349.tif 000002
【図２】
0006446349.tif 000003
【図３】
0006446349.tif 000004
【図４】
0006446349.tif 000005
【図５】
0006446349.tif 000006
【図６】
0006446349.tif 000007
【図７】
0006446349.tif 000008
【図８】
0006446349.tif 000009
【図９】
0006446349.tif 000010
【図１０】
0006446349.tif 000011
【図１１】
0006446349.tif 000012
【図１２】
0006446349.tif 000013